(57)【要約】  本発明は、踏み板の吸引口の下側にビーズが設置され、ピースの上昇・下降により吸引口が開閉され、塵埃の吸引が円滑に行われ、ビーズを用いて破損を防止するとともに異物が挟まないようにする、ビーズを用いた塵埃吸引装置に関し、塵埃が吸引されるための塵埃吸引部が形成された底板と、前記底板の上部に設置されながら塵埃吸引部を密閉させ、塵埃吸引部に塵埃が吸引されるように上部に多数個の吸引口が形成された踏み板と、からなる本体と、前記底板の内部の底部に吸引口の個数に合わせて設けられるばねと、前記ばねの上部に設けられ、踏み板の吸引口に密着して吸引口を開閉させるビーズと、前記本体の側部にホースで連結され、吸引口が開放されるとき、吸引口から塵埃吸引部に塵埃を吸引する吸引機と、を備える。【選択図】  図１
2020516435.tif 000002
【特許請求の範囲】
【請求項１】
塵埃が吸引されるための塵埃吸引部が形成された底板と、前記底板の上部に設置されながら塵埃吸引部を密閉させ、塵埃吸引部に塵埃が吸引されるように上部に多数個の吸引口が形成された踏み板と、からなる本体と、
前記底板の内部の底部に吸引口の個数に合わせて設けられるばねと、
前記ばねの上部に設けられ、踏み板の吸引口に密着して吸引口を開閉させるビーズと、
前記本体の側部にホースで連結され、吸引口が開放されるとき、吸引口から塵埃吸引部に塵埃を吸引する吸引機と、を備えることを特徴とするビーズを用いた塵埃吸引装置。
【請求項２】
前記底板の内部の底面には、ジグザグに流路が形成されるように一定の間隔を置いて複数個の隔壁が設置されたことを特徴とする請求項１に記載のビーズを用いた塵埃吸引装置。
【請求項３】
前記底板の外側部には、吸引機の作動で、外部空気を浄化させるように空気清浄部が設けられたことを特徴とする請求項１に記載のビーズを用いた塵埃吸引装置。
【請求項４】
前記ビーズの直径は、吸引口の直径よりも大きいことを特徴とする請求項１に記載のビーズを用いた塵埃吸引装置。
【請求項５】
前記ビーズは、ステンレス材質であることを特徴とする請求項１に記載のビーズを用いた塵埃吸引装置。
【請求項６】
前記ビーズは、炭素鋼やクロム鋼からなることを特徴とする請求項１に記載のビーズを用いた塵埃吸引装置。
【請求項７】
前記ビーズは、表面にニッケルがコートされたことを特徴とする請求項６に記載のビーズを用いた塵埃吸引装置。
【請求項８】
前記底板の底面には、ばねを離脱することなく、安定的に支持するように挟持部材が設置されたことを特徴とする請求項１に記載のビーズを用いた塵埃吸引装置。
【発明の詳細な説明】
【技術分野】
【０００１】
本発明は、ビーズを用いた塵埃吸引装置に係り、より詳しくは、塵埃吸引装置の踏み板の吸引口の下側にビーズを配設することにより、ばねで支持されるピースの上昇・下降により吸引口が開閉され、塵埃の吸引が円滑に行われ、装置の破損が防止され、異物が挟まれないという長所を有する塵埃吸引装置に関する。
【背景技術】
【０００２】
従来、工場、病院、または食料品店のような施設では、施設内への出入り時、靴などに付着した塵埃を除去し、快適な生活環境をつくるようにしている。
【０００３】
また、塵埃により影響されるコンピュータ、電子製品などの各種機器の普及につれて、最近は、工場はもとより、一般の家屋、建物でも、塵埃を除去する必要性が高くなっている。
【０００４】
特に、最近は、黄砂の影響により、建物内の入居者の健康のために、室外から室内への出入り時、前もって、塵埃を除去すべき必要性がさらに台頭している。
【０００５】
上記の理由から、様々な塵埃吸引マットが提示されているところ、一例として、特許文献１では、内部に空間部が形成される下部ハウジング、及びアルミニウム材質で下部ハウジングの上部に締め付けられ、断面に傾斜面が形成され、外部方向へ直径が拡張される吸引孔が空間部と連通して複数で構成される上部カバーで構成されるハウジングと、前記空間部において昇降可能に設置され、上昇または下降により、各吸引孔を開放または密閉する複数のヘッドブロックと、前記空間部と連通し、空間部に対して選択的に吸引力を印加する吸引手段と、を備えるが、前記ヘッドブロックは、その上部の一部が吸引孔を通過して外部に露出するように、直径が上部に行くほど小さくなる押圧突起と、前記空間部において乗降可能に配置され、前記押圧突起の下部面と結合されるが、押圧突起の直径よりも相対的に大きな直径を有し、露出した上部面の外周面は、上側に向かって突出形成される密着縁が形成されることにより、空間部の上面と密着して吸引孔を密閉させる胴体と、前記胴体の下部面に一側が接し、他側が前記空間部の底面と接するように構成され、前記胴体の下降時に復元力を与える復元ばねと、を有する塵埃吸引床マットを提示している。
【０００６】
しかしながら、上記した特許文献１の場合、出入者が上部に露出したヘッドブロックを踏み込むと、ヘッドブロックが下降しながら吸引孔が開放されるが、このとき、ヘッドブロックがプラスチック材質からなるので、出入者がヘッドブロックを踏み込むとき、出入者の重量または外的環境要因により、ヘッドブロックが壊れるなど、破損して製品寿命が長くないという問題点があった。
【０００７】
また、特許文献１の場合、吸引孔を開閉させるヘッドブロックにおいて、出入者が踏み込む押圧突起の下部に復元ばねが挟まれる胴体が一体化されているが、押圧突起と胴体との間に段部が設けられ、出入者が押圧突起を踏み込むとき、押圧突起と胴体との間の段部により、段部上に落ちた塵埃や異物が吸引されず、持続的にたまって垢がつき、ヘッドブロックが変質してしまうという問題点があった。
【先行技術文献】
【特許文献】
【０００８】
【特許文献１】大韓民国登録特許第１０−１４７７２１７号公報
【発明の概要】
【発明が解決しようとする課題】
【０００９】
本発明は、上記問題点に鑑みなされたものであり、出入者の靴に付いた塵埃を吸引する装置において、出入者により踏み込まれ、吸引口を開放させる機能をビーズを用いて実現することにより、ビーズの球状による構造的安定性（耐久性）と自由な回転性により部品の破損が防止され、塵埃吸引効率が高く、異物が挟みにくい、ビーズを用いた塵埃吸引装置を提供することを目的とする。
【００１０】
また、塵埃吸引装置の踏み板の吸引口の下方の内側にばねで弾持されるビーズを配設することにより、出入者がビーズを踏み込むことにより、ビーズが自由自在に回転し、ビーズの表面に付着した塵埃や土などの異物が落ちやすく、製品寿命を最大化することのできる、ビーズを用いた塵埃吸引装置を提供することを他の目的とする。
【課題を解決するための手段】
【００１１】
上記目的を達成するための本発明の実施形態に係るビーズを用いた塵埃吸引装置は、塵埃が吸引されるための塵埃吸引部が形成された底板と、前記底板の上部に設置されながら塵埃吸引部を密閉させ、塵埃吸引部に塵埃が吸引されるように上部に多数個の吸引口が形成された踏み板と、からなる本体と、前記底板の内部の底部に吸引口の個数に合わせて設けられるばねと、前記ばねの上部に設けられ、踏み板の吸引口に密着して吸引口を開閉させるビーズと、前記本体の側部にホースで連結され、吸引口が開放されるとき、吸引口から塵埃吸引部に塵埃を吸引する吸引機と、を備えてもよい。
【００１２】
前記底板の内部の底面には、ジグザグに流路が形成されるように一定の間隔を置いて複数個の隔壁が設置されてもよい。
【００１３】
前記底板の外側部には、吸引機の作動で、外部空気を浄化させるように空気清浄部が設けられてもよい。
【００１４】
前記ビーズは、吸引口の上部に一部が突出して吸引口を閉鎖するが、吸引口の上側の外部に抜け出ないように、吸引口の直径よりも大きな直径からなってもよい。
【００１５】
前記ビーズは、ステンレス材質からなってもよい。
【００１６】
前記ビーズは、炭素鋼やクロム鋼からなってもよい。
【００１７】
前記ビーズは、錆が発生しないように表面にニッケルをコートしてもよい。
【００１８】
前記底板の底面には、ばねを離脱することなく、安定的に支持するように挟持部材が一体で設置されてもよい。
【発明の効果】
【００１９】
本発明に係るビーズを用いた塵埃吸引装置によれば、本体の踏み板に形成された吸引口を開閉させ、靴に付いた塵埃を吸引するために、ばねの上部にビーズが設けられ、ばねで支持されるビーズの上側の一部が吸引口から吸引口の上側に突出しながら吸引口を閉鎖してから、出入者の靴が踏み板上のビーズを踏み込むと、ばねの弾性力で支持されながらビーズが下降するが、ビーズが球状であるので、吸引口の側壁に引っ掛からず、円滑に下降して吸引口を開放することにより、靴に付いた塵埃や土などの異物の除去効率を最大化することができるという効果がある。
【００２０】
また、塵埃を吸引するために、踏み板の内側にばねで弾持されるビーズを備えるが、ビーズがステンレスまたはニッケルがコートされた炭素鋼やクロム鋼からなることにより、強い衝撃でも、ビーズが破損されにくく、塵埃の付着を防止することができ、製品の堅固性及び清潔性を極大化することができるという効果もある。
【図面の簡単な説明】
【００２１】
【図１】図１は、本発明に係るビーズを用いた塵埃吸引装置を示す分解斜視図である。
【図２】図２は、本発明に係るビーズを用いた塵埃吸引装置の一部拡大状態を示す分解斜視図である。
【図３】図３は、本発明に係るビーズを用いた塵埃吸引装置を示す結合斜視図である。
【図４】図４は、本発明に係るビーズを用いた塵埃吸引装置の内部構成を示す断面図である。
【図５】図５は、本発明に係るビーズを用いた塵埃吸引装置の作動状態を示す断面図である。
【発明を実施するための形態】
【００２２】
本発明は、様々な変更を加えてもよく、様々な実施形態を有してもよいところ、特定の実施形態を図面に例示し、詳細な説明において詳述しようとする。しかし、これは、本発明を特定の実施形態に限定するものではなく、本発明の思想及び技術範囲に含まれる全ての変更、均等物乃至代替物を含むものと理解されなければならない。
【００２３】
図面において、本発明の実施形態は、図示された特定の形態に制限されず、明確性を期するために誇張されたものである。本明細書において特定の用語が用いられたが、これは、本発明を説明するための目的で用いられたものであり、意味限定や特許請求の範囲に記載された本発明の権利範囲を制限するために用いられたものではない。
【００２４】
本明細書における「及び／または」という表現は、前後に羅列された構成要素のうち、少なくとも一つを含む意味として用いられる。また、「連結される／結合される」という表現は、他の構成要素と直接的に連結され、或いは他の構成要素を介して間接的に連結されるものを含む意味として用いられる。本明細書における単数形は文句で特別に言及しない限り、複数形も含む。また、明細書において用いられる「備えている」または「備える」と言及された構成要素、段階、動作及び素子は、１つ以上の他の構成要素、段階、動作及び素子の存在または追加を意味する。
【００２５】
以下、添付された図面を参照して、本発明の実施形態について詳述する。
【００２６】
図１は、本発明に係るビーズを用いた塵埃吸引装置を示す分解斜視図であり、図２は、本発明に係るビーズを用いた塵埃吸引装置の一部を拡大した分解斜視図であり、図３は、本発明に係るビーズを用いた塵埃吸引装置を示す結合斜視図であり、図４は、本発明に係るビーズを用いた塵埃吸引装置の内部構成を示す断面図であり、図５は、本発明に係るビーズを用いた塵埃吸引装置の作動状態を示す断面図である。
【００２７】
図１乃至図５に示すように、本発明に係るビーズを用いた塵埃吸引装置１０は、本体１００、ばね２００、ビーズ３００、及び吸引機４００を備える。
【００２８】
前記本体１００は、塵埃を吸引するための底板１１０と、前記底板１１０を覆って出入者が踏み込む踏み板１２０と、を有する。
【００２９】
前記底板１１０は、出入口の床面に敷かれ、内部に塵埃が吸引される塵埃吸引部１１１が形成される。
【００３０】
また、前記底板１１０の外周縁には、上部へ折り曲げられ、塵埃が吸引される塵埃吸引部１１１の空間が形成され、踏み板１２０が定着するように仕上がり部１１２が設けられる。
【００３１】
前記底板１１０の内部の底面には、塵埃吸引部１１１に流路が形成されるように、複数個の隔壁１１３が設置されてもよい。
【００３２】
また、前記隔壁１１３は、塵埃排出の死角地帯をなくし、塵埃を均一に排出させるために、流路がジグザグに形成されるように一定の間隔を置いて互い違いに設けられる。
【００３３】
前記底板１１０の外側部には、吸引機４００の作動により外部空気を浄化させるように空気清浄部１１４が設けられる。
【００３４】
前記空気清浄部１１４は、浄化効率を高めるように、底板１１０の前後に複数で設置されることが好ましい。
【００３５】
また、前記空気清浄部１１４は、制御器５００において、吸引機４００の作動時間を設定し、設定された時間で、吸引機４００が作動されながら空気を浄化させるようになる。
【００３６】
前記踏み板１２０は、底板１１０の上部に設置されるが、塵埃吸引部１１１の空間が形成されるように、踏み板１２０の下部が仕上がり部１１２の上端に架けられて設置される。
【００３７】
また、前記踏み板１２０の上部には、出入者の靴Ｓが踏み板を踏み込んだとき、靴Ｓに付いた塵埃や土などの異物が塵埃吸引部１１１に流入されるように吸引口１２１が形成される。
【００３８】
このとき、前記吸引口１２１は、踏み板１２０の全体面積において一定の間隔を置いて多数個で形成される。
【００３９】
また、前記吸引口１２１は、出入者の靴Ｓが踏み板１２０を踏み込んだとき、靴Ｓに付いた塵埃が粉塵吸引部１１１に吸引され易いように、外側へテーパー１２１ａ付けられていてもよい。
【００４０】
すなわち、施設物の床面に敷かれる底板１１０の上部に踏み板１２０が設置されるが、底板１１０と踏み板１２０との間に空間が形成されながら塵埃吸引部１１１が形成されるように、仕上がり部１１２により、踏み板１２０が一定の高さで設置され、前記踏み板１２０に形成される吸引口１２１により、吸引口１２１から出入者の靴Ｓに付いた塵埃が後述する吸引機４００の作動により塵埃吸引部１１１に吸引される。
【００４１】
前記ばね２００は、底板１１０の内部の底面に設置されるが、踏み板１２０に形成される吸引口１２１の下方に設置される。
【００４２】
また、前記ばね２００は、全体の吸引口１２１の下方に吸引口１２１の個数だけ設置されてもよい。
【００４３】
これとともに、前記底板１１０の底面には、ばね２００が吸引口１２１の下方から離脱することなく、安定的に支持されるように挟持部材１３０が設置される。
【００４４】
上記において、挟持部材１３０は、底板１１０に一体で設置され、或いはボルトなどの締付部材（図示せず）で締め付けられてもよい。
【００４５】
また、前記挟持部材１３０は、それぞれのばね２００を支持するように、各ばね２００に設置されることが好ましい。
【００４６】
前記ビーズ３００は、ばね２００の上部に設けられ、ばね２００の弾性力により支持されながら、ビーズの上側の一部が吸引口１２１から踏み板１２０の上側に突出しながら吸引口１２１を閉鎖するようになる。
【００４７】
また、前記ビーズ３００は、それぞれのばね２００に全て設置されることが好ましい。
【００４８】
すなわち、前記踏み板１２０の上に出入者が上がると、出入者の靴Ｓが、ビーズ３００に接し、重量によりビーズ３００が下降し、ビーズ３００から靴Ｓが離れると、ばね２００の弾性力によりビーズ３００が再び上昇するようになる。
【００４９】
このように、前記ビーズ３００が吸引口１２１の上部に突出して設けられ、踏み板１２０に出入者が上がりながら靴Ｓがビーズ３００を踏み込むと、ビーズ３００が下方に下がり、吸引口１２１が開放され、吸引機４００の作動により、靴Ｓに付いた塵埃や土などの異物が、吸引口１２１から粉塵吸引部１１１に吸引されるようになる（図５参照）。
【００５０】
これとは逆に、前記ビーズ３００を踏み込んでいる靴Ｓがビーズ３００から離れると、ばね２００の弾性力により、ビーズ３００が上昇しながら吸引口１２１を閉鎖し、待機状態を維持するようになる（図４参照）。
【００５１】
また、図４乃至図５に示すように、前記ビーズ３００は、吸引口１２１の上部に一部が突出するが、吸引口１２１の上側の外部に抜け出ないように、吸引口１２１の直径よりも大きな直径を有する。
【００５２】
前記ビーズ３００は、ステンレス材質であってもよい。
【００５３】
また、前記ビーズ３００は、炭素鋼やクロム鋼からなるが、錆発生を防止するために、表面にニッケルをコートしたものであってもよい。
【００５４】
前記吸引機４００は、本体１００の側部にホース４１０で連結され、出入者の靴Ｓがビーズ３００を押圧しながらビーズ３００が下降し、吸引口１２１を開放すると、吸引口１２１から粉塵吸引部１１１に靴Ｓに付いた塵埃や土などの異物を吸引するようになる。
【００５５】
前記吸引機４００は、制御器５００と電気的に連結され、制御器５００の制御信号により作動され、靴Ｓに付いた塵埃や土などの異物が塵埃吸引部１１１に吸い込まれ、前記制御器５００は、出入者が踏み板１２０を踏み込むことにより生じる重量を感知するように、踏み板１２０に設置される重量感知センサ６００と電気的に連結され、重量感知センサ６００の感知により信号を伝達され、吸引機４００の電源を断続するようになる。
【００５６】
以下、このような構造を有する塵埃吸引装置の作動状態について説明する。
【００５７】
前記本体１００を施設物の出入口の床面に設置した状態で、出入者が通り過ぎるとき、踏み板１２０を踏み込むと、踏み板１２０に設置された重量感知センサ６００が、これを感知し、制御器５００に信号を送り、制御器５００の制御により吸引機４００が作動するようになる。
【００５８】
これとともに、前記ばね２００で支持されながら、吸引口１２１から一部が踏み板の上に突出するようにビーズ３００が設置された状態で、出入者が踏み板１２０の上に突出したビーズ３００を踏み込むと、前記吸引口１２１を閉鎖しているビーズ３００が、出入者の体重によりばね２００を弾性圧縮させながら下向きへ移動し、吸引口１２１との間隔が広がり、吸引口１２１を開放させるようになる（図５参照）。
【００５９】
このように、前記ビーズ３００が下降しながら吸引口１２１を開放させ、吸引機４００の作動により、靴Ｓに付いた塵埃や土などの異物を吸い込み、吸引口１２１から粉塵吸引部１１１に吸引させるようになる。
【００６０】
また、前記吸引口１２１を開閉させ、出入者の靴Ｓに付いた塵埃などの異物を除去するためにビーズ３００を設けることにより、靴Ｓがビーズ３００に接したとき、ビーズ３００が吸引口１２１に引っ掛からず、安定的に下降して吸引口１２１を円滑に開放することができる。
【００６１】
また、球状に回転自在なビーズ３００を備え、吸引口１２１を開閉させることにより、靴Ｓに付いた塵埃などの異物がビーズ３００に固着せず、装置の粉塵吸引部などを洗浄する別途の掃除作業が不要であり、使用者にとって便宜性を高めることができる。
【００６２】
一方、前記ビーズ３００をステンレスまたはニッケルがコートされた炭素鋼やクロム鋼で製造し、形状と材質の剛性により、出入者の体重による衝撃でも、ビーズ３００が破損されにくく、錆付かず、製品の品質を高めることができる。
【００６３】
以上のように、本発明は、上述した特定の好適な実施形態に限定されず、請求の範囲において請求する本発明の要旨を逸脱しない範囲内で、当該発明が属する技術分野における通常の知識を有する者であれば、誰でも、様々な変形実施が可能であることはもとより、これらの変更は、請求の範囲の記載の範囲内にあることになる。
【符号の説明】
【００６４】
１０  塵埃吸引装置
１００  本体
１１０  底板
１１１  塵埃吸引部
１１２  仕上がり部
１１３  隔壁
１１４  空気清浄部
１２０  踏み板
１２１  吸引口
１２１ａ  テーパー
１３０  挟持部材
２００  ばね
３００  ビーズ
４００  吸引機
４１０  ホース
５００  制御器
６００  重量感知センサ
Ｓ  靴
【図１】
2020516435.tif 000003
【図２】
2020516435.tif 000004
【図３】
2020516435.tif 000005
【図４】
2020516435.tif 000006
【図５】
2020516435.tif 000007
【国際調査報告】
2020516435.tif 000008
2020516435.tif 000009
2020516435.tif 000010
2020516435.tif 000011